(57)【要約】【課題】多面合成アンテナを構成するアンテナユニット間の隙間への着雪を防止し、着雪に伴う特性の劣化を確実に防止する。【解決手段】隙間カバー４１は、アンテナユニットの長さとほぼ同じ長さを有し、上下端部を内側方向に折り曲げ、その先端に形成した取付部４０ａ、４０ｂにユニット取付用のボルト穴４３を設ける。隙間カバー４１は、両側部がアンテナユニットの保護カバーの段差部に重なるように設定すると共に、内側中央の長手方向に沿って取付板４４を接着する。取付板４４は、細長の取付基部４５に支持部４６ａ、４６ｂを設け、その先端部を隙間カバー４１の内側中央に接着材により固定する。取付基部４５には、中央部より外側に突出するように取付ガイド４８を形成する。取付板４４は、装着時にアンテナユニットの折曲げ部の間に取付基部４５を位置させ、ボルトにより折曲げ部に取付ける。【選択図】    図３
2006148555.tif 000002
【特許請求の範囲】
【請求項１】
複数のアンテナユニットが所定間隔で多面配置される多面合成アンテナ用の隙間カバーにおいて、
前記各アンテナユニット間の隙間を覆うように設けられ、上下端部の両側部が前記アンテナユニットに該アンテナユニットの保護カバーと共に取付けられることを特徴とする多面合成アンテナ用隙間カバー。
【発明の詳細な説明】
【技術分野】
【０００１】
本発明は、例えば地上波デジタル放送用送信アンテナとして利用される親局及び中継局の多面合成アンテナにおいて、アンテナユニット間の隙間をカバーする多面合成アンテナ用隙間カバーに関する。
【背景技術】
【０００２】
地上波デジタル放送等で用いられる送信アンテナでは、水平面無指向性とする場合、あるいは水平面無指向性に限らず指向性を持つ場合でも鉄塔の取付けスペースが無い場合に、鉄塔上部の周囲に双ループアンテナ等のアンテナユニットを多面に配置して多面合成している（例えば、特許文献１参照。）。
【０００３】
図５は、鉄塔上部の周囲にアンテナユニットを多面に配置してなる多面合成アンテナの要部を示す上面図である。図５において、１１は鉄塔の上部付近に設けられているアンテナ支持機構で、このアンテナ支持機構１１に複数例えば４つのアンテナユニット１２ａ、１２ｂ、…を装着している。この場合、アンテナユニット１２ａ、１２ｂ、…は、鉄塔の周囲に等間隔で位置するように配置して多面合成している。
【０００４】
上記アンテナユニット１２ａ、１２ｂ、…としては、例えば双ループアンテナが用いられる。この双ループアンテナは、それぞれ反射板１３上にアンテナ素子例えばループ素子１４を設けると共に、このループ素子１４の周囲を覆うように保護カバー１５を設け、この保護カバー１５によりループ素子１４を雨や雪などから保護している。
【特許文献１】特開２００１−１８５９２９号公報
【発明の開示】
【発明が解決しようとする課題】
【０００５】
上記のように従来では、各アンテナユニット１２ａ、１２ｂ、…に保護カバー１５を設けてアンテナ素子を雨や雪から保護している。しかし、鉄塔の周囲にアンテナユニット１２ａ、１２ｂ、…を多面配置することにより、各アンテナユニット１２ａ、１２ｂ、…間に隙間１６を生じている。この結果、冬季において、特に雪の多い地方では、上記アンテナユニット１２ａ、１２ｂ、…間の隙間１６の部分に着雪し、アンテナの特性が劣化するという問題が生じている。特に送信用アンテナは、山間部等、高地に設置される場合が多いので、着雪による影響が非常に大きい。
【０００６】
本発明は上記の課題を解決するためになされたもので、多面合成アンテナにおいて、アンテナユニット間の隙間への着雪を防止し、着雪に伴う特性の劣化を確実に防止し得る多面合成アンテナ用隙間カバーを提供することを目的とする。
【課題を解決するための手段】
【０００７】
本発明は、複数のアンテナユニットが所定間隔で多面配置される多面合成アンテナ用の隙間カバーにおいて、前記各アンテナユニット間の隙間を覆うように設けられ、上下端部の両側部が前記アンテナユニットに該アンテナユニットの保護カバーと共に取付けられ、更に、前記隙間カバーの内側中央部に長手方向に沿って固着されて先端部側が前記アンテナユニットの反射板に取付けられる取付板を備えたことを特徴とする。
【発明の効果】
【０００８】
本発明によれば、多面合成アンテナを構成する各アンテナユニット間の隙間を無くして着雪を防止でき、着雪に伴う特性の劣化を確実に防止することができる。
【発明を実施するための最良の形態】
【０００９】
以下、図面を参照して本発明の一実施形態を説明する。  
図１は本発明の一実施形態に係る多面合成アンテナ及び隙間カバーを鉄塔の周囲に配列した状態を示したもので、（ａ）は上面図、（ｂ）は要部を拡大して示す図である。図２は、上記多面合成アンテナを構成するアンテナユニット部分の詳細を示したもので、（ａ）は一部を断面して示す正面図、（ｂ）は側面図、（ｃ）は底面図である。図３は、上記隙間カバー部分の詳細を示したもので、（ａ）は正面図、（ｂ）は断面図、（ｃ）は上面図である。
【００１０】
図１において、２１ａ、２１ｂ、…は、鉄塔（図示せず）の上部周囲に等間隔で配置されるアンテナユニットで多面合成される。  
上記アンテナユニット２１ａ、２１ｂ、…としては、例えば図２に詳細を示す双ループアンテナが用いられる。この双ループアンテナは、反射板２２上に設けられたループ素子２３ａ、２３ｂの周囲を覆うように保護カバー２４を設けている。この保護カバー２４は、例えば繊維強化プラスチック（ＦＲＰ）を用いて形成したもので、ループ素子２３ａ、２３ｂを雨や雪などから保護する。そして、上記アンテナユニット２１ａ、２１ｂ、…間に生じる隙間部分には、多面合成アンテナ用隙間カバー４１を設け、上記隙間部分への着雪を防止している。
【００１１】
図２は、上記アンテナユニット２１ａ、２１ｂ、…として用いられる双ループアンテナの構成例を示したもので、円周が約１波長のループ素子２３ａ、２３ｂを反射板２２上にそれぞれ複数例えば６個接続して２列に配列した２列形６Ｌ双ループアンテナについて示している。
【００１２】
上記反射板２２は、例えばアルミ板により長方形に形成され、その外周縁に沿って形成されるエッジ部２６に複数のボルト穴２７が設けられる。この場合、反射板２２のエッジ部２６には、上下端部において、左右両側部に保護カバー２４と共に上記隙間カバー４１を装着するためのボルト穴２７ａを複数、例えば２個ずつ設けている。一方、保護カバー２４にも、外周円のエッジ部２８に、上記反射板２２のエッジ部２６に設けられているボルト穴２７、２７ａに対応する位置にボルト穴が設けられる。上記反射板２２と保護カバー２４は、上記ボルト穴を利用してボルト及びナット２９により固定される。この場合、保護カバー２４と共に隙間カバー４１を装着するためのボルト穴２７ａについては、ボルト及びナット２９ａを使用している。
【００１３】
上記反射板２２の上面には、例えば２列のループ素子２３ａ、２３ｂが設けられ、上記したように保護カバー２４によって保護される。この保護カバー２４は、上面を円弧状に形成すると共に、長手方向の両側部、すなわち、上記隙間カバー４１と重なる部分が１段低くなるように段差部３１を形成し、上記隙間カバー４１と組み合わせた状態で外表面がフラットになるようにしている。
【００１４】
上記２列のループ素子２３ａ、２３ｂは、それぞれ中央に設けられた給電部３２ａ、３２ｂから給電されるが、この給電部３２ａ、３２ｂは給電路３３ａ、３３ｂを介して反射板２２の外部に導出され、１つの給電端３４に接合される。
【００１５】
また、上記反射板２２は、幅方向の両側部を給電端３４側に所定長さ折り曲げて折曲げ部３５を形成している。この場合、アンテナユニット２１ａ、２１ｂ、…を鉄塔の周囲に装着した際、アンテナユニット２１ａ、２１ｂ、…の折曲げ部３５が所定の間隔で平行して位置するように反射板２２と折曲げ部３５との角度を設定している。また、上記折曲げ部３５には、上記隙間カバー４１を装着するためのボルト穴（図示せず）が所定の間隔で複数設けられる。
【００１６】
そして、上記隙間カバー４１は、図３（ａ）〜（ｃ）に示すように構成される。  
隙間カバー４１は、合成樹脂例えば繊維強化プラスチック（ＦＲＰ）により形成され、上記アンテナユニット２１ａ、２１ｂ、…の長さとほぼ同じ長さを有し、その上下端部が内側方向に所定の角度、すなわち、アンテナユニット２１ａ、２１ｂ、…の保護カバー２４と同じ角度で折り曲げられる。更に、隙間カバー４１は、上下の折曲げ端部４２ａ、４２ｂの先端を上下方向に所定幅折曲げて取付部４０ａ、４０ｂとし、取付部４０ａ、４０ｂに複数、この例では４個のボルト穴４３を設けている。このボルト穴４３は、アンテナユニット２１ａ、２１ｂ、…の反射板２２に設けられているボルト穴２７ａに対応する位置に設けられる。上記取付部４０ａ、４０ｂは、アンテナユニット２１ａ、２１ｂ、…の保護カバー２４上に取り付けられるが、その取付け面が一致するように所定の角度で山形状に形成される。
【００１７】
また、隙間カバー４１は、幅方向の面が保護カバー２４とほぼ同じ円弧状に形成されると共に、両側部が保護カバー２４の段差部３１に重なるように横幅が設定される。
【００１８】
更に、上記隙間カバー４１の内側中央には、図１（ｂ）及び図３（ｂ）、（ｃ）に示すように長手方向に沿って例えば厚さが３ｍｍ程度のアルミ板により形成した取付板４４が接着材により固着される。上記取付板４４は、細長に形成された取付基部４５に対し、複数個所例えば上下２個所に支持部４６ａ、４６ｂが設けられ、この支持部４６ａ、４６ｂの先端部が隙間カバー４１の内側中央に接着材により固着される。この固着部は、更にその両側が断面形状が三角形状の補強材４７ａ、４７ｂによって補強される。この補強材４７ａ、４７ｂは、隙間カバー４１の内側中央と支持部４６ａ、４６ｂとの間を接着材によって強固に固着する。
【００１９】
上記取付板４４は、取付基部４５の隙間カバー４１と反対側に位置する側部が隙間カバー４１の折曲げ端部４２ａ、４２ｂの先端より更に外側に突出して設けられ、装着時に上記アンテナユニット２１ａ、２１ｂ、…の折曲げ部３５の間に位置するように設定される。また、上記取付基部４５には、中央部より外側に突出するように例えば半円状の取付ガイド４８が形成され、その中心部にガイド穴４９が設けられる。更に、上記取付基部４５には、長手方向に沿って複数のボルト穴５１が所定の間隔で設けられる。このボルト穴５１の位置は、アンテナユニット２１ａ、２１ｂ、…の反射板２２に設けられているボルト穴２７に対応して設定される。
【００２０】
次に、アンテナユニット２１ａ、２１ｂ、…及び隙間カバー４１の装着手順について説明する。図１（ａ）、（ｂ）に示すように鉄塔の上部付近の周囲に、支持機構（図示せず）を利用して上記複数のアンテナユニット２１ａ、２１ｂ、…を等間隔に設置する。この場合、各アンテナユニット２１ａ、２１ｂ、…は、反射板２２に設けられている折曲げ部３５の間隔を上記隙間カバー４１に設けられている取付板４４の厚さに合わせて設定する。上記鉄塔に対するアンテナユニット２１ａ、２１ｂ、…の装着は、例えばクレーン等を利用して行なう。
【００２１】
また、上記アンテナユニット２１ａ、２１ｂ、…は、予め保護カバー２４を反射板２２に取付けておくが、上下両側部分、すなわち隙間カバー４１を取付ける部分のボルト及びナット２９ａを外しておく。この状態で、各アンテナユニット２１ａ、２１ｂ、…間に隙間カバー４１を位置させ、取付板４４の取付基部４５をアンテナユニット２１ａ、２１ｂ、…の反射板２２に設けられている折曲げ部３５間に挿入する。このとき隙間カバー４１の両側部は、保護カバー２４の段差部３１上に重なって位置するが、図１（ｂ）に示すように隙間カバー４１と保護カバー２４の段差部３１との間にパッキン５５を介在させる。
【００２２】
上記隙間カバー４１の取付けに際しては、取付基部４５に設けられている取付ガイド４８を利用して取付板４４を鉄塔の中心方向に引っ張ることにより、隙間カバー４１を所定の位置に容易に位置させることができる。
【００２３】
そして、上記隙間カバー４１の上下端部の取付部４０ａ、４０ｂに設けられているボルト穴４３と上記保護カバー２４のエッジ部２８の上下両側部分に設けられているボルト穴とを一致させ、ボルト及びナット２９ａを挿着してアンテナユニット２１ａ、２１ｂ、…の各反射板２２と保護カバー２４及び隙間カバー４１を固定する。この場合、図１（ｂ）に示すように保護カバー２４のエッジ部２８と隙間カバー４１との間にパッキン５６を介在させる。
【００２４】
更に、上記隣接する反射板２２の折曲げ部３５間に挿入した取付基部４５のボルト穴５１を折曲げ部３５のボルト穴に一致させ、図１（ｂ）に示すようにボルト及びナット５７を挿着して両者を固定する。この際、隙間カバー４１の両側部、すなわち、アンテナユニット２１ａ、２１ｂ、…の反射板２２と重なる部分は、反射板２２に設けた段差部３１に位置するので、上記反射板２２と隙間カバー４１の表面は平坦になる。
【００２５】
上記のように各アンテナユニット２１ａ、２１ｂ、…間に隙間カバー４１を装着することにより、各アンテナユニット２１ａ、２１ｂ、…間の隙間を無くして着雪を防止でき、着雪に伴う特性の劣化を確実に防止することができる。
【００２６】
また、取付板４４の取付基部４５に取付ガイド４８を設けているので、この取付ガイド４８を利用して取付板４４を鉄塔の中心方向に引っ張ることで、隙間カバー４１を所定の位置に容易に位置させることができ、装着作業を迅速に行なうことができる。
【００２７】
図４は、上記実施形態で示したように各アンテナユニット２１ａ、２１ｂ、…間に隙間カバー４１を設けてなる多面合成アンテナを４段に配置した場合の例を示したもので、（ａ）は上面図、（ｂ）は正面図である。
【００２８】
図４（ａ）、（ｂ）に示すように鉄塔６１の周囲に支持機構６２を介して４段の多面合成アンテナ６３ａ〜６３ｄを所定の間隔を保って配設している。図４では、上記各段の多面合成アンテナ６３ａ〜６３ｄとして、１６面のアンテナユニット２１ａ、２１ｂ、…、をほぼ等間隔で配置し、各アンテナユニット２１ａ、２１ｂ、…間に隙間カバー４１ａ、４１ｂ、…を設けた場合を示している。上記アンテナユニット２１ａ、２１ｂ、…は、例えば２つの系統からなり、第１系統のユニットと第２系統のユニットが交互に配置される。
【００２９】
上記のように各アンテナユニット２１ａ、２１ｂ、…間に隙間カバー４１ａ、４１ｂ、…を設けることにより、多面合成アンテナ６３ａ〜６３ｄの外周面を円形に形成することができ、各アンテナユニット２１ａ、２１ｂ、…間の隙間を無くして着雪を確実に防止することができる。
【００３０】
また、隙間カバー４１ａ、４１ｂ、…は、各アンテナユニット２１ａ、２１ｂ、…に対して着脱できるように構成しているので、図５に示したように多面合成アンテナ６３ａ、６３ｂ、…を多段に構成している場合であっても、各段の多面合成アンテナ６３ａ、６３ｂ、…毎に個々に隙間カバー４１ａ、４１ｂ、…の着脱が可能であり、各アンテナユニット２１ａ、２１ｂ、…の保守、点検等を容易に行なうことが可能である。すなわち、各段の多面合成アンテナ６３ａ、６３ｂ、…は、他の段に影響を与えることなく、個々に隙間カバー４１ａ、４１ｂ、…の着脱、及び各アンテナユニット２１ａ、２１ｂ、…の保護カバー２４の着脱が可能であり、各アンテナユニット２１ａ、２１ｂ、…の保守、点検等を迅速に行なうことが可能である。
【００３１】
なお、上記実施形態では、取付板４４としてアルミ板を用いた場合について示したが、アルミ板に限らず、その他の金属板あるいは隙間カバー４１と同じ繊維強化プラスチック（ＦＲＰ）等を用いて構成しても良い。
【００３２】
また、上記実施形態では、アンテナユニット２１ａ、２１ｂ、…として、ループ素子を６個ずつ２列に配列してなる２列形６Ｌ双ループアンテナを用いた場合について示したが、その他、例えば２Ｌ双ループアンテナ（２個のループ素子を接続したもの）、あるいは４Ｌ双ループアンテナ（４個のループ素子を接続したもの）を用いる場合、あるいは列数をその他の値に設定する場合においても、上記実施形態と同様にして隙間カバー４１ａ、４１ｂ、…を装着することが可能である。
【００３３】
また、上記実施形態では、アンテナユニット２１ａ、２１ｂ、…の放射素子として、ループ素子を用いた場合について示したが、その他、ダイポールアンテナ素子を用いた場合であっても、上記実施形態と同様にして隙間カバー４１ａ、４１ｂ、…を装着し得るものである。
【００３４】
また、上記実施形態では、鉄塔に多面合成アンテナを設置する場合について示したが、その他、例えばコンクリート柱等の支柱にアンテナを設置する場合においても実施し得るものである。
【図面の簡単な説明】
【００３５】
【図１】本発明の一実施形態に係る多面合成アンテナ及び隙間カバーを鉄塔の周囲に配列した状態を示したもので、（ａ）は上面図、（ｂ）は要部を拡大して示す図である。
【図２】同実施形態において、多面合成アンテナを構成するアンテナユニット部分の詳細を示したもので、（ａ）は一部を断面して示す正面図、（ｂ）は側面図、（ｃ）は底面図である。
【図３】同実施形態において、隙間カバー部分の詳細を示したもので、（ａ）は正面図、（ｂ）は断面図、（ｃ）は上面図である。
【図４】同実施形態において、多面合成アンテナを４段に配置した場合の例を示したもので、（ａ）は上面図、（ｂ）は正面図である。
【図５】従来の多面合成アンテナの要部を示す上面図である。
【符号の説明】
【００３６】
２１ａ、２１ｂ…アンテナユニット、２２…反射板、２３ａ、２３ｂ…ループ素子、２４…保護カバー、２６…エッジ部、２７…ボルト穴、２８…エッジ部、２９…ボルト及びナット、３１…段差部、３２ａ、３２ｂ…給電部、３３ａ、３３ｂ…給電路、３４…給電端、３５…折曲げ部、４０ａ、４０ｂ…取付部、４１，４１ａ、４１ｂ…、…多面合成アンテナ用隙間カバー、４２ａ、４２ｂ…折曲げ端部、４３…ボルト穴、４４…取付板、４５…取付基部、４６ａ、４６ｂ…支持部、４７ａ、４７ｂ…補強材、４８…取付ガイド、４９…ガイド穴、５１…ボルト穴、５５、５６…パッキン、５７…ボルト及びナット、６１…鉄塔、６２…支持機構、６３ａ〜６３ｄ…多面合成アンテナ。
【図１】
2006148555.tif 000003
【図２】
2006148555.tif 000004
【図３】
2006148555.tif 000005
【図４】
2006148555.tif 000006
【図５】
2006148555.tif 000007